(57)【要約】【課題】            光学的に読み取り可能なコードであってその領域形状と大きさとをほぼ同じくする複数のコード、を組み合わせてなる連結コードの読み取り操作において、すでに読み取りが成功したコードの位置情報を利用して、次のコードとの位置合わせを容易にする方法を提供する。【解決手段】        この発明に係るコード読取装置は、光学的に読み取り可能なコードの撮像を取得する撮像部２と、  前記撮像手段が取得した撮像中のコードを解析して情報を抽出する解析手段５と、  前記解析手段が過去に情報の抽出に成功した前記撮像におけるコードの撮像位置を基準位置とし、その基準位置に基づいて今回のコードの撮像位置を決定する位置合わせ手段６と、を備えた。【選択図】          図１
2005250554.tif 000002
【特許請求の範囲】
【請求項１】
光学的に読み取り可能なコードであってその領域形状と大きさとをほぼ同じくする複数のコード、を組み合わせてなる連結コードを構成する個別のコード（以下、個別コードという）の撮像を取得する撮像手段と、
前記撮像手段が取得した撮像中の個別コードを解析して情報を抽出する解析手段と、
前記解析手段が情報の抽出に成功した第１の個別コードの前記撮像における撮像位置を基準位置とし、その基準位置に基づいて前記連結コードを構成する第２の個別コードの撮像位置を決定する位置合わせ手段と、を備えたことを特徴とするコード読取装置。
【請求項２】
前記位置合わせ手段は、前記撮像手段により取得された前記撮像中の第２の個別コードの撮像位置と前記基準位置とを比較し、この撮像位置と基準位置との差異が所定の範囲にある場合に、前記解析手段に前記撮像中の第２の個別コードから情報を抽出させることを特徴とする請求項１に記載のコード読取装置。
【請求項３】
前記撮像手段により取得された第２の個別コードの撮像を表示する表示手段を備え、
前記位置合わせ手段は、前記表示手段に、前記基準位置を前記第２の個別コードの撮像と同時に表示させることを特徴とする請求項１又は２のいずれかに記載のコード読取装置。
【請求項４】
光学的に読み取り可能なコードであって領域形状と大きさとをほぼ同じくする複数のコード、を組み合わせてなる連結コードを読み取る処理をコンピュータに実行させるコード読取プログラムにおいて、
以下の手順（ａ）〜（ｃ）を前記コンピュータに逐次実行させることを特徴とするコード読取プログラム。
（ａ）撮像手段を用いて前記連結コードを構成する個別のコード（以下、個別コードという）の撮像を取得する撮像手順。
（ｂ）前記撮像手順を通じて取得した撮像中の個別コードを解析して情報を抽出する解析手順。
（ｃ）前記解析手順において、情報の抽出に成功した第１の個別コードの前記撮像における撮像位置を基準位置とし、その基準位置に基づいて前記連結コードを構成する第２の個別コードの撮像位置を決定する位置合わせ手順。
【請求項５】
さらに以下の手順をコンピュータに逐次実行させることを特徴とする請求項４に記載のコード読取プログラム。
（ｄ）前記撮像手順により取得した第２の個別コードの撮像を表示手段に表示させる撮像表示手順。
（ｅ）前記表示手段に、前記基準位置を前記コードの撮像と同時に表示させる基準位置表示手順。
【発明の詳細な説明】
【技術分野】
【０００１】
この発明は、連結コードの読み取りを行う装置に係るものであり、特に連結コードを読み込む操作を利用者が平易に行うことを可能とする技術に関する。
【背景技術】
【０００２】
バーコードを初めとする光学的に読み取り可能なコード（以下、単にコードという）を用いる方法は、紙に印刷されたシンボルを読み取るだけでディジタルデータを再現できるので、ディジタルデータを安価かつ大量に流通させる手段として、広く用いられており、各種の標準規格が定められている。一方、ハードウェア製造技術の進展により半導体や半導体応用製品は高速・大容量化してきており、そのため扱われるデータの種類も、文字列や数字列のような単純なものから、音声・画像などの複雑で容量の大きなマルチメディアデータに変化してきた。このような背景から、コードによって少しでも容量の大きなデータを流通させようという試みがなされており、その一環としてＱＲ(Quick Response)コード（JIS X 0510:1999）やＰＤＦ(Portable Data Format)４１７などの２次元コードが開発され、さらに複数のコードを組み合わせて大容量かつ一貫性を有するデータを表現することを目的として連結コード方式が考案されている。
【０００３】
一方、昨今では、携帯電話やＰＤＡなどの携帯情報端末にディジタルカメラを搭載することが一般的になっている。携帯情報端末では可搬性が要求されるので、筐体サイズや重量が厳しく制約されている。そのため、文字入力を行うためのフルキーボードの装着は困難であって、その代替としてテンキーやスタイラスペン、タッチパッドなどを用いて文字入力が行われている。しかしながら、このような代替手段では、複雑な文書やデータの入力操作に時間を要し、苦痛な場合すらある。そこで、このような問題を解決する方法として、携帯情報端末に搭載されているディジタルカメラを用いて表示物を撮像し、撮像した表示物から情報を抽出して活用する機能を実現しようとする試みがなされている。ディジタルカメラを用いた２次元コード読み取り機能もその一つである。
【０００４】
しかし２次元コードを効率よくかつ安定的に読み取るためには、２次元コードの撮像位置を適切に調節することが必要である。機能的にコード読み取りに特化した専用コードリーダであれば、２次元コードを表示する印刷物を、機構的に適切な位置で保持したり、撮像機構側に工夫を施すことにより、適切な結像を得て効率的に入力操作を行うことが可能である。しかし、利用者が手で把持して使用することを前提とする携帯情報端末では、２次元コードの表示面までの距離を固定的にする構成は採ることが困難である。さらには、人物画像や風景画像を撮像するディジタルカメラを流用して撮像機構を構成する場合も多いので、撮像機構側に２次元コード読み取り専用の構成を採用することは現実的でない。
【０００５】
そこで、利用者が自分でコードリーダとしての携帯情報端末を移動し、携帯情報端末とコードの表示面との位置関係を適切に調節できるようにするために、利用者に何らかの情報を提供する方法が考えられる（例えば特許文献１や特許文献２）。
【０００６】
【特許文献１】特開平１１−９６２８３  「コードイメージ読取装置」公報
【特許文献２】特開平１１−２５０１７２  「情報記号読取り装置」公報
【発明の開示】
【発明が解決しようとする課題】
【０００７】
ところで、携帯情報端末を用いて２次元コードを読みとる場合においても、連結コードによって大量のデータを入力したいという要求が同様に存在する。通常、連結コードを構成する個別コードは印刷物上などに整列されており、各個別コードは大きさがほぼ同じであるという特徴を有する。従来の方法では、単体の情報コードを読み取るための位置合わせを前提としているものであり、同じような大きさを有する連結コードの各コードを読み取る操作を効率的に行えるとは必ずしもいえなかった。
【０００８】
この発明は、連結コードの有する性質を有効に利用することで、連結コードを構成する各個別コードに対してコードリーダの位置を容易かつ適切に調整することを可能とし、効率的に連結コードを読み取ることができるようにすることを目的とするものである。
【課題を解決するための手段】
【０００９】
この発明に係るコード読取装置は、光学的に読み取り可能なコードであってその領域形状と大きさとをほぼ同じくする複数のコード、を組み合わせてなる連結コードを構成する個別のコード（以下、個別コードという）の撮像を取得する撮像手段と、
前記撮像手段が取得した撮像中の個別コードを解析して情報を抽出する解析手段と、
前記解析手段が情報の抽出に成功した第１の個別コードの前記撮像における撮像位置を基準位置とし、その基準位置に基づいて前記連結コードを構成する第２の個別コードの撮像位置を決定する位置合わせ手段と、
を備えたことを特徴とするものである。
【００１０】
なお、ここでいうコードとは、光学的に検知可能な表示物であって、一定のアルゴリズムに基づいてディジタルデータへの変換が行えるものをいう。すなわち、コードは光学的に検知可能な記号又は信号であればどのようなものであってもよいのであって、必ずしも印刷物のような有体物上に表示されているものである必要はなく、例えば表示装置上に電気的に表示した記号あるいは信号をも含むものとする。したがって、この発明におけるコードとは、特定の２次元コードにのみ限定されるものではないのであって、この発明はディジタルデータに変換可能な表示物の読み取り操作全般に適用可能なものである。
【００１１】
また連結コードとは、表示領域の形状と大きさとをほぼ同じくする複数のコードを組み合わせてなるコードの集合をいう。また連結コードを構成する一つ一つのコードのことを「個別コード」と呼ぶ。なお、複数のコードの配列において、その一部のコードの表示領域の形状や大きさが他のコードとは異なっている場合であっても、その配列中の少なくとも２以上のコードの表示領域の形状及び大きさがほぼ同じであれば、これら表示領域の形状及び大きさがほぼ同じ２以上のコードを連結コードとみなすこととする。これは、そのような条件が満たされさえすれば、この発明の特徴を発揮することができるためである。また、一般に連結コードは一定の手順に基づいて個別コードを組み合わせることにより、単独のコードでは保持できない程度の容量のデータを表現するために用いられることが多い。しかしながら、この発明における連結コードは、必ずしもそのような連結コードに限定されるものではない。すなわち、単純に表示領域の形状と大きさがほぼ同じであれば、この発明の特徴を発揮しうるのである。したがってこの発明における連結コードの概念には、表示領域の形状と大きさがほぼ同じであるが、論理的になんら関連のない複数のコードの配列をも含まれる。
【発明の効果】
【００１２】
このようにして、この発明によれば、連結コードを構成する個別コードのうち、すでに読み取りに成功している個別コードの撮像位置を利用して、他の個別コードとコード読取装置とのの位置合わせを容易にするので、連結コード読み取りにおける読み取りエラーを少なくすることができ、効率的に連結コードの読み取り操作を行うことができる、という効果を奏するのである。
【発明を実施するための最良の形態】
【００１３】
以下、この発明の実施の形態を図を用いて説明する。
実施の形態１．
図１は、この発明の実施の形態１によるコード読取装置を、例えば携帯電話端末として実現した場合の構成を示すブロック図である。図において、携帯情報端末１は、撮像手段としてのカメラ２、表示手段としてのディスプレイ３、操作キー４、解析手段としての解析部５、位置合わせ手段としての位置合わせ部６、記憶部７、バス８を備えている。カメラ２は、たとえばＣＣＤ（Ｃｈａｒｇｅｄ  Ｃｏｕｐｌｅｄ  Ｄｅｖｉｃｅ）カメラであり、感光素子が組み込まれていて、この感光素子が電荷(静電気)を蓄え次々に転送することによって撮像した画像を電気信号として出力する部位である。
【００１４】
図２は、携帯情報端末１の背面図であって、図の携帯情報端末１の背面にカメラ２が装着された状態を示すものである。ディスプレイ３は、例えば液晶ディスプレイによって構成されており、カメラ２が撮像した画像（動画又は静止画）を表示するようになっており、カメラ２のファインダーとしても機能するものである。操作キー４は、携帯情報端末１に装着されているテンキーである。図３は携帯情報端末１の正面図であって、ディスプレイ３は携帯情報端末１の液晶ディスプレイによって構成されていることと、テンキー４の装着状態とを示すものである。
【００１５】
解析部５は、カメラ２によって取得した撮像結果を所定の手順によって解析する部位である。また位置合わせ部６は、位置合わせ情報を解析部５又はディスプレイ３に設定する部位である。なお、解析部５及び位置合わせ部６は、専用の回路又は素子を用いて構成されることが多い。しかしながら、例えば図示せぬ中央演算装置と、その中央演算装置に所定の処理を実行させるコンピュータプログラムとの組み合わせとして構成しても構わない。記憶部７は、これまでに解析を行ったコードの撮像中の位置情報を記憶する記憶素子又は回路である。バス８は、カメラ２、ディスプレイ３、操作キー４、解析部５、位置合わせ部６、記憶部７のそれぞれの間で信号をやりとりするための経路を提供する回路である。
【００１６】
次に、この発明の実施の形態１によるコード読取装置の使用方法（操作方法）と、各操作に対応したコード読取装置の動作について説明する。ここでは例として、図４に示すように、複数のＱＲコードから構成された連結コードを読み取る処理について説明する。
【００１７】
まず、利用者は連結コードを構成するＱＲコード（個別コード）のうち、任意の１個の個別コード（第１の個別コード）を選択し、選択した個別コードの読み取り操作を行う。そのために利用者は、携帯情報端末１のカメラ２の開口面を、第１の個別コードの表示面に向ける一方で、携帯情報端末１を上下左右に移動させたり、あるいは個別コードの表示面に近づけたり遠ざけたりしながら、第１の個別コードと携帯情報端末１との位置関係を調節する。そして利用者は、第１の個別コードをカメラ２を用いて撮像し、解析部５を起動して第１の個別コードの読み取り処理を行わせる。
【００１８】
解析部５は、カメラ２が撮像した画像中に含まれるコードを解析して、情報の抽出を行う。解析対象となるコードがＱＲコードの場合、解析部５はまず、位置検出シンボルの検出を行う。位置検出シンボルとは、ＱＲコードの位置を高速に特定するためのシンボルであって、図５に示すＱＲコード中の符号１１〜１３で示される部位をいう。これらの処理の詳細については周知であるＱＲコード検出方法（例えばJIS X 0510:1999 ２次元コードシンボル−ＱＲコード基本仕様などの資料に掲載されている）に従うものであるので、ここでは詳細を説明することは行わない。
【００１９】
なお、第１の個別コードの読み取り処理は、一度の操作で完了するとは限らない。すなわち、利用者による携帯情報端末１と第１の個別コードとの位置関係の調節がまずく、その結果、カメラ２による撮像内において第１の個別コードの一部が欠損していたり、結像が適切に行われていなかったりすると、読み取りは失敗する。そのため、第１の個別コードの読み取り操作は数次にわたることもあり得る。これは、第１の個別コードの読み取り時においては、どのような位置関係がコード読み取りに適切な位置関係かを利用者が把握していないためである。利用者は、例えばカメラ２のファインダとして機能するディスプレイ３に表示された第１の個別コードの撮像状況を見ながら、携帯情報端末１と第１の個別コードとの位置関係が適切であると判断した場合に、テンキー４のいずれかのキーを押下するなどの操作を行って、携帯情報端末１に明示的に読み取りを開始する指示を試行錯誤的に与える。あるいは、操作の労力を低減するために、携帯情報端末１の側で、一定期間、反復自動的に第１の個別コードの画像を撮像し、解析部５を起動して解析処理を行わせてもよい。
【００２０】
解析部５が、第１の個別コードから情報を抽出するのに成功した場合、解析部５は情報抽出に成功した第１の個別コードの画像中の位置（コードの撮像位置）を記憶部７に記憶させる。第１の個別コードの画像中の位置としては、例えば検出に成功した各位置検出シンボルの座標値を採用してもよいし、位置検出シンボルに替えて、画素値を白黒二色で二値化し、ＱＲコード領域のエッジ検出を行ってＱＲコード領域の矩形頂点を算出し、算出した頂点の座標を記憶させるようにしてもよい。その他、第１の個別コードの撮像位置を表す数値であれば、どのような数値を用いても構わない。
【００２１】
続いて、位置合わせ部７は、次に読み込む個別コード（第２の個別コード）と携帯情報端末１との位置関係を利用者が調整する上で基準として用いることができるように、ガイド情報をディスプレイ３に表示する。ガイド情報の表示位置は、記憶部７に記憶されている第１の個別コードの撮像位置に基づいて決定される。そしてディスプレイ３には、このガイド情報とともに、カメラ２によって撮像された第２の個別コードの画像も表示する。このガイド情報とは、第２の個別コードの読み取り操作において、携帯情報端末１と第２の個別コードとの位置関係の調節を容易にするために、すでに読み取りが成功した第１の個別コードの撮像位置を利用者に目安として提供するものである。したがってかかる役割を果たす情報であればどのような表示形態であってもよい。
【００２２】
例えば、図６は、カメラ２によって撮像された第２の個別コードと、位置合わせ部７の制御によって表示されている前回あるいは過去に読み取り処理が成功した第１の個別コードの撮像位置を示すガイド表示（基準位置）とを重ねて表示した画像の例を示す図である。図において、符号３はディスプレイ３の枠を示すものであり、符号２０は基準位置を示す矩形によるガイド表示、符号２１はカメラ２によって撮像された第２の個別コードの画像である。ガイド２０は記憶部７に記憶されている過去に読み取りが成功した第１の個別コードの撮像位置を基準として表示されている。
【００２３】
図６から、現時点における携帯情報端末１と第２の個別コードとの位置関係は、矩形２０よりも第２の個別コードの撮像２１の方が大きく、かつやや左にずれていることが分かる。ガイド表示２０は、過去に読み取りが成功したコードの撮像位置であるから、この位置と近い位置に第２の個別コードが表示されるように携帯情報端末１を移動し、そこで第２の個別コードの読み取り操作を行うことにより、第２の個別コードの読み取り操作が成功する蓋然性が高まる。図６に示す位置関係の場合、利用者は、携帯情報端末１を現在の位置よりも少しだけ個別コードの表示面から離し、かつやや左側に移動させればよいことを直感的に理解して、位置関係の調整を行うのである。
【００２４】
なお、ガイド表示は矩形以外の形状や態様で表示してもよい。図７は、基準位置となる前回または過去のコードの頂点を示すこととしたガイド表示の例を表す図である。図において、符号２２〜２５は、基準位置となるコードの４つの頂点を示すものである。
【００２５】
以上から明らかなように、この発明の実施の形態１によるコード読取装置によれば、同一の連結コードを構成する個別コードであって、読み取りに成功した第１のこ別コードの撮像位置を表示ガイドとしてディスプレイ中に示すこととしたので、利用者は以降の個別コード読み取りにおいて、この表示ガイドに合わせて以降の個別コードが表示されるようにコード読取装置の位置を調整することで、読み取り成功率の高いコード読み取り処理を行わせることができ、効率的に連結コードの読み取り操作を行うことができるのである。
【００２６】
なお、上述のコード読取装置と同等の処理をディジタルカメラやＣＣＤカメラを備えたコンピュータに実行させるプログラムとして構成することが可能なことはいうまでもない。具体的にいえば、このようなプログラムは、以下の手順をコンピュータに逐次実行させることを特徴とするコード読取プログラムとなる。
（ａ）撮像手段を用いて前記連結コードを構成する個別のコード（以下、個別コードという）の撮像を取得する撮像手順。
（ｂ）前記撮像手順を通じて取得した撮像中の個別コードを解析して情報を抽出する解析手順。
（ｃ）前記解析手順において、情報の抽出に成功した第１の個別コードの前記撮像における撮像位置を基準位置とし、その基準位置に基づいて前記連結コードを構成する第２の個別コードの撮像位置を決定する位置合わせ手順。
【００２７】
さらには、そのようなコンピュータプログラムは、次のような手順を有するようにしてもよい。
（ｄ）前記撮像手順により取得した第２の個別コードの撮像を表示手段に表示させる撮像表示手順。
（ｅ）前記表示手段に、前記基準位置を前記コードの撮像と同時に表示させる基準位置表示手順。
【００２８】
また以上の説明から明らかなように、この発明の実施の形態１によるガイド表示処理は特定のコード規格を前提とするものではなく、光学的に読み取り可能なコードであればいかなる方式のコードであっても適用可能であり、特定のコード方式に限定されるものではない。
【００２９】
また上述の説明においては、簡単のためにコードの表示領域を矩形としているが、他の幾何学的形状であってもよい。その場合であっても、矩形形状と同じく頂点の座標で形状を表現することができるし、また頂点に替えて、重心座標で形状を代表させてもよいのである。
【００３０】
実施の形態２．
実施の形態１では、すでに読み取りが成功した第１の個別コードの撮像位置（基準位置）をガイドとして表示する方法について説明した。これに対して実施の形態２では、基準位置と第２の個別コードの撮像位置とを対比し、その差異が所定の範囲にある場合に、次のコードの解析処理を自動的に行うコード読み取り装置について説明する。
【００３１】
図８は、この発明の実施の形態２によるコード読取装置を、例えば携帯情報端末として実現した場合の構成を示すブロック図である。図において、携帯情報端末３０は、カメラ２、解析部５、位置合わせ手段としての位置合わせ部３１、記憶部７を備えている。携帯情報端末３０の例としては携帯電話やＰＤＡ（Ｐｅｒｓｏｎａｌ  Ｄｉｇｉｔａｌ  Ａｓｓｉｓｔａｎｔｓ）などが考えられる。カメラ２、解析部５、記憶部７はそれぞれ実施の形態１における携帯情報端末１と同様であるので、説明を省略する。位置合わせ部３１はカメラ２が撮像したコードの撮像位置が所定の条件を満たした場合に、解析部５を起動してコードの解析処理を行う部位である。
【００３２】
次に、携帯情報端末３０の動作について説明する。この場合についても、実施の形態１と同様に複数のＱＲコードから構成された連結コードを読み取ることを想定して説明する。まず、利用者は連結コードを構成する個別コードのうち、任意の１個の個別コード（第１の個別コード）を選択し、利用者は、携帯情報端末１のカメラ２の開口面を選択した個別コードの表示面に向けて、第１の個別コードの読み取り操作を行う。
【００３３】
解析部５は、利用者の操作に従って、カメラ２で撮像された第１の個別コードを抽出し、解析処理を行う。その結果、正しく解析処理が行えなかった場合は、利用者にエラーが発生することを何らかの方法で報知する。その結果を受けて、利用者は携帯情報端末１と第１の個別コードの表示面との位置関係を調整し、場合によっては試行錯誤を繰り返すことも考えられる。そして一回又は複数回の試行の後に、解析部５が選択された第１の個別コードの読み取りに成功すると、第１の個別コードの撮像位置は記憶部７に記憶される。なお、携帯情報端末１と第１の個別コードとの位置関係を調整しやすくするために、ディスプレイを携帯情報端末１に設けて、カメラ２による現在の第１のコードの撮像状況を表示するようにしてもよい。ただしそのようなディスプレイの装着は、この発明においては必須ではない。
【００３４】
続いて、利用者は同じ連結コードを構成する他の個別コード（第２の個別コード）の読み取り操作を行う。第２の個別コードの読み取り操作においては、位置合わせ部３１が起動される。位置合わせ部３１は、記憶部７にすでに記憶されている過去または前回読み取りに成功した第２の個別コードの撮像位置（基準位置）と、現在カメラ２によって撮像されている第２の個別コードとの撮像位置（新たな撮像位置）とを比較する。そして基準位置と新たな撮像位置との差異が所定の範囲に含まれる場合に、解析部５を起動して、現在カメラ２によって撮像されているＱＲコードの解析処理を開始するのである。
【００３５】
ここにおいて、解析処理を開始するために、利用者は携帯情報端末３０を移動する以外に何らの操作も行っていない点に注意すべきである。すなわち、位置合わせ部３１が現在読み込もうとしている第２の個別コードが適切な位置に撮像されているかどうかを判断して、自動的に解析処理を行うのである。位置合わせ部３１が実行する処理は、現在読み込もうとしている第２の個別コードの位置（新たな撮像位置）を検出する処理と、新たな撮像位置と基準位置との比較処理のみであるので、極めて負荷が小さく高速に実行することができる。新たな撮像位置を検出する処理は、第２の個別コードの位置検出シンボルの検出を行うか、あるいは、画素値を白黒二色で二値化し、第２の個別コード領域のエッジ検出を行って第２の個別コード領域の矩形頂点を算出すればよい。
【００３６】
次に、基準位置と新たな撮像位置の差異の評価方法の一例を示す。ここでは、基準位置と新たな撮像位置とが、ともに矩形の頂点の座標として与えられているとする。そうすると、各頂点の水平方向座標値と垂直方向座標値の差を算出することで、矩形の縦と横の大きさを求めることができる。そして基準位置と新たな撮像位置とで、それぞれの矩形の縦と横の大きさを算出し、それぞれの矩形の縦の大きさの比率Ｒｖ、横の大きさの比率Ｒｈを算出する。そしてＲｖとＲｈが０．９＜Ｒｖ＜１．１かつ０．９＜Ｒｈ＜１．１を満たす場合に、解析部５を起動するようにする。このように基準位置と新たな撮像位置との差異とは、頂点の座標の差に基づくものだけでなく、表示領域の長さや大きさ、面積その他の幾何学量に基づくものであってもよい。
【００３７】
このように位置合わせ部３１によって、極めて高速に第２の個別コードが適切な位置に撮像されているかどうかを判断し、位置が適切な場合にのみ、より処理負荷の大きい解析部５を自動的に起動することとしたので、利用者は携帯情報端末３０を適切な位置に移動するだけで、連結コードを構成する個別の第２の個別コードの読み取り操作を行うことができ、さらに読み取り操作のレスポンス性能が向上し、使い勝手のよいコード読取装置を実現することができる。
【００３８】
なお、実施の形態２においては、実施の形態１のようにディスプレイを備える構成としていないが、実施の形態１のようにディスプレイを備えて、カメラ２による撮像状況を都度確認できるようにしてもよく、また実施の形態１と同様にガイド表示を行ってもよいことはいうまでもないのである。
【産業上の利用可能性】
【００３９】
この発明に係るコード読取装置は、特に複数の個別コードから構成される連結コードの読み取りを効率的に行う用途に適用することができる。
【図面の簡単な説明】
【００４０】
【図１】この発明の実施の形態１によるコード読取装置の構成を示すブロック図である。
【図２】この発明の実施の形態１によるコード読取装置の背面図である。
【図３】この発明の実施の形態１によるコード読取装置の正面図である。
【図４】連結コードの例を示す図である。
【図５】ＱＲコードの構成を説明する図である。
【図６】個別コードとガイド表示とを重ねて表示した画像の例を示す図である。
【図７】この発明の実施の形態１によるガイド表示の別の例を示す図である。
【図８】この発明の実施の形態２によるコード読取装置の構成を示すブロック図である。
【符号の説明】
【００４１】
２  カメラ、
３  ディスプレイ、
５  解析部、
６  位置合わせ部、
７  記憶部。
【図１】
2005250554.tif 000003
【図２】
2005250554.tif 000004
【図３】
2005250554.tif 000005
【図４】
2005250554.tif 000006
【図５】
2005250554.tif 000007
【図６】
2005250554.tif 000008
【図７】
2005250554.tif 000009
【図８】
2005250554.tif 000010